(57)【要約】【課題】  カラー感熱プリンタの小型化及び消費電力を少なくする。【解決手段】  液晶表示素子１２ａのバックライトとしてイエロー定着用ランプ４４を使用する。イエロー定着用ランプ４４の背後に、退避通路４１を設ける。イエロー画像記録後の記録紙２４は、切り換え板３８の切り換えにより退避通路４１にガイドされ、ここでイエロー定着用ランプから放たれる光により定着される。記録紙を再び戻してマゼンタ画像記録するときには、切り換え板３８が退避して記録紙２４が給紙通路４２に向けてガイドされる。液晶表示素子１２ａとイエロー定着用ランプ４４との間には、イエロー定着用ランプ４４から放たれる光を白色光に補正する補正フィルタ６０が設けられている。【選択図】        図２
2005231198.tif 000002
【特許請求の範囲】
【請求項１】
特有の波長域の光に反応して定着される感熱発色層が形成された感熱記録紙を用い、サーマルヘッドで前記感熱記録紙を加熱して感熱発色層を熱記録するとともに、定着用光源から放たれる特有の波長域の光によって熱記録後の感熱発色層を定着する感熱プリンタにおいて、
該プリンタの外部に画像を表示する液晶表示素子を背後から照明するバックライトとして前記定着用光源を使用したことを特徴とする感熱プリンタ。
【請求項２】
前記定着用光源と前記液晶表示素子との間に補正手段を設け、前記補正手段は、前記定着用光源から放たれる光を白色光に補正して液晶表示素子にガイドすることを特徴とする請求項１記載の感熱プリンタ。
【請求項３】
該プリンタの電源ＯＮに応答して前記定着用光源を点灯させるとともに、該プリンタの電源がＯＦＦするまでその点灯を継続させる手段を備えていることを特徴とする請求項１又は２記載の感熱プリンタ。
【請求項４】
前記感熱プリンタは、少なくともイエロー、マゼンタ、及びシアンの感熱発色層が形成されたカラー感熱記録紙を用い、サーマルヘッドでカラー感熱記録紙を加熱して、最上層にあるイエロー感熱発色層はイエロー画像を熱記録した後にイエロー定着用光源によりイエロー感熱発色層に特有な波長域の紫外線を照射して光定着され、イエロー感熱発色層の直ぐ下にあるマゼンタ感熱発色層に対してもマゼンタ画像を記録した後にマゼンタ定着用光源によりマゼンタ感熱発色層に特有な波長域の紫外線を照射して光定着するカラー感熱プリンタであり、前記イエロー定着用光源をバックライトに使用したことを特徴する請求項１ないし３いずれか記載の感熱プリンタ。
【請求項５】
前記イエロー定着用光源は、青色の波長域に近い第１波長域の紫外線の放出に加えて、少なくとも緑色及び赤色との２色の第２及び第３波長域の光を前記第１波長域の紫外線よりも光度を弱くしてそれぞれ放出しており、前記補正手段は、前記第１波長域の紫外線の光度を前記第２及び第３の波長域の光の光度と略同じになるように弱めることで白色光に補正することを特徴とする請求項４記載の感熱プリンタ。
【請求項６】
前記液晶表示素子の背後に配されている前記イエロー定着用光源から放たれる紫外線のみによって前記イエロー感熱発色層を光定着するための第１通路と、
前記マゼンタ定着用光源から放たれる紫外線のみによって前記マゼンタ感熱発色層を光定着するための第２通路と、
前記サーマルヘッドに対して熱記録時の搬送方向の下流で、前記カラー感熱記録紙のガイド方向を前記第１通路と第２通路との何れか一方に切り換える切り換え板とを備え、
前記切り換え板の切り換えによって、イエロー感熱発色層の記録中はカラー感熱記録紙を第１通路にガイドし、また、マゼンタ感熱発色層の記録中はカラー感熱記録紙を第２通路にガイドすることを特徴とする請求項３ないし５何れか記載の感熱プリンタ。
【発明の詳細な説明】
【技術分野】
【０００１】
本発明は、画像を外部に表示する液晶表示部を備えた感熱プリンタに関し、さらに詳しくは、カラー感熱記録紙を加熱して発色記録した後、定着光を照射して光定着する感熱プリンタに関するものである。
【背景技術】
【０００２】
従来、プリンタには、カラー液晶表示部を外部に設けたものが主流である（特許文献１）。プリンタには、メモリカードが装着されるカードリーダや電子カメラやパーソナルコンピュータなどの外部機器を接続するインターフェースなどが設けられ、これらからプリント対象となる画像のデータが取り込まれる。取り込んだデータの画像やメモリカードに記録されている画像の一覧を液晶表示部に表示することで、プリントする前にプリント対象の画像を液晶表示部で確認することができるため、異なる画像をプリントする失敗を未然に防止することができる。
【０００３】
液晶表示部は、画像を表示する液晶表示素子とそれを照明する光源ユニットとから構成されている。光源ユニットには、フロント方式とバックライト方式とがあり、画面の大きい液晶表示素子に対しては一般的にバックライト方式が用いられる。バックライト方式を用いる液晶表示素子としては、明暗環境を問わず常に光源ユニット部を利用する透過型、あるいは、昼間は外光を利用し、暗闇で光源ユニットを利用する半透過型のものが用いられる。
【０００４】
バックライト方式の光源ユニットには、液晶表示素子の下に光源を複数本並べた直下型と、液晶表示素子の横に置くエッジライト型との種類がある。エッジライト型では、輝度ムラが生じないように、光源から出た光を液晶表示素子の背後に重ねられる導光板の反射面に横から入射させ、その光を導光板の反射面に設けた多数のドット又は反射溝で液晶画面全体に当たるように反射させて液晶表示素子を背後から照明する。そして、どちらも光源としては、画面サイズの大きい液晶表示素子に有利である陰極蛍光ランプ(CFL) が使用されている。
【０００５】
一方、プリンタとしては、カラー感熱記録紙（以下、単に記録紙という）を用いるカラー感熱プリンタが知られている（特許文献２）。記録紙には、支持体上に、イエロー、マゼンタ、及び、シアンの各色に発色する感熱発色層が順次層設されている。プリンタは、この記録紙をサーマルヘッドで加熱して３色の画像を面順次に記録することによりフルカラー画像を得る。
【０００６】
各色の感熱発色層は、層設された順番によって深層の感熱発色層ほど熱感度が低くなっており、最上層のイエロー感熱発色層が最も低い熱エネルギーで発色し、また、最下層のシアン感熱発色層が最も高い熱エネルギーで発色する。そして、中間のマゼンタ感熱発色層はその中間の熱エネルギーで発色する。このとき、より深層の感熱発色層を加熱したときに上層の感熱発色層が発色することがないように、イエロー感熱発色層とマゼンタ感熱発色層には、それぞれに特有な波長域の光に対する光定着性が付与されており、イエロー及びマゼンタの各感熱発色層は、イエロー定着用及びマゼンタ定着用光源からそれぞれ特有な波長の定着光が照射されると、その発色能力が消失する。
【０００７】
プリント処理は、まず、最上層のイエロー感熱発色層をサーマルヘッドにより加熱してイエロー画像が熱記録される。この後、イエロー定着用光源からイエロー定着光を照射して熱記録済みのイエロー感熱発色層を光定着する。このイエロー画像の熱記録及び光定着の後、サーマルヘッドによりマゼンタ画像の熱記録を行った後、マゼンタ定着用光源からマゼンタ定着光を照射してマゼンタ感熱発色層が光定着される。そして、最後に、シアン画像を熱記録することによりフルカラー画像が得られる。
【０００８】
【特許文献１】特開昭６３−２８３９６７号公報
【特許文献２】特開平７−２７６６８９号公報
【発明の開示】
【発明が解決しようとする課題】
【０００９】
近年、プリンタの小型化が望まれている。しかしながら、液晶表示部を設けたプリンタは、大型化する傾向にある。というのは、バックライト方式の液晶表示部の場合、厚みが厚いため、プリンタの内部に大きなスペースが必要となるためである。しかも、液晶表示部は、画面サイズを大きくする程、表示画像が見やすくなるので好適である反面、バックライトが大がかりなものになってさらにプリンタ自体が大型化する。また、感熱プリンタの場合には、液晶表示部のバックライトに加えてイエロー及びマゼンタ定着用光源も必要となるため、プリンタがより大型化するばかりか、プリンタの消費電力も大きくなる。
【００１０】
本発明は、小型化が図れ、しかも消費電力の少ない感熱プリンタを提供することを目的とする。
【課題を解決するための手段】
【００１１】
本発明の感熱プリンタは、特有の波長域の光に反応して定着される感熱発色層が形成された感熱記録紙を用い、サーマルヘッドで前記感熱記録紙を加熱して感熱発色層を熱記録するとともに、定着用光源から放たれる前記特有の波長域の光によって熱記録後の感熱発色層を定着する感熱プリンタである。このプリンタに液晶表示素子を設け、そのバックライトとして定着用光源を使用する。
【００１２】
液晶表示部は、液晶表示素子とバックライトとで構成される。バックライトに兼用する定着用光源は、液晶表示素子の背後に設ける。定着用光源としては、感熱発色層を定着させる特有の波長域の光以外に、白色光を作るための複数の波長域の光を前記特有の波長域の光よりも光度を弱くして放出するものを用いる。そして、定着用光源から放たれる光のうちの特有の波長域の光を補正手段で弱めて白色光に補正すればよい。
【００１３】
液晶表示部は、バックライトで常時照明することが必要となる。そこで、プリンタの電源をＯＮにすることに応答して定着用光源を点灯させるとともに、プリンタの電源がＯＦＦするまでその点灯を継続させる手段を設ける。
【００１４】
カラー感熱プリンタの場合には、イエロー用とマゼンタ用との定着用光源で個別にイエロー及びマゼンタ感熱発色層を光定着する必要がある。この場合、青色の波長に近い波長域に発光ピークをもつイエロー定着用光源をバックライトに使用する。そうすると、イエロー定着用光源を常に点灯させる必要がある。このため、マゼンタ感熱発色層をマゼンタ定着用光源から放たれる光で光定着するときに、イエロー定着用光源から放たれる紫外線でさらに光定着が行われることがないように、それぞれ光源から放たれる光を個別に照射して光定着を行う構成が必要である。
【００１５】
そこで、別々の隔離場所で光定着を行えるように、第１及び第２通路とを設けてもよい。第１通路では、液晶表示素子の背後に配されているイエロー定着用光源から放たれる紫外線のみによってイエロー感熱発色層を光定着する。第２通路では、マゼンタ定着用光源から放たれる紫外線のみによってマゼンタ感熱発色層を光定着する。
【００１６】
そして、サーマルヘッドに対して熱記録時の搬送方向の下流に、第１通路と第２通路とに記録紙のガイドを切り換える切り換え板を設けて、その切り換え板の切り換えによって、イエロー感熱発色層の記録中はカラー感熱記録紙を第１通路にガイドし、また、マゼンタ感熱発色層の記録中はカラー感熱記録紙を第２通路にガイドするようにしてもよい。
【発明の効果】
【００１７】
本発明では、熱記録後の感熱発色層を光定着するための定着用光源を液晶表示部のバックライトに兼用したから、ローコスト化及びプリンタの小型化を図ることができる。また、光源を兼用にしたことで、消費電力も抑えることができる。
【発明を実施するための最良の形態】
【００１８】
図１に示すカラー感熱プリンタ１０には、交換蓋１１、カラー液晶表示部１２、操作部１３、排紙口１４、接続端子１５、及びスロット１６などが外部に露呈して設けられている。交換蓋１１は、開閉自在となっている。この交換蓋１１を開くと紙収納室が露呈し、紙収納室には記録紙ロールがセットされる。カラー液晶表示部１２には、プリント対象の画像などが表示される。操作部１３は、電源ボタン１７、プリントボタン１８、画像選択スイッチ１９などで構成される。接続端子１５には、外部から画像データを取り込むために、電子カメラなどの画像記録機器がケーブルを介して接続される。スロット１６の奥にはカードリーダが内蔵されている。メモリカードはカードリーダに装着され、カードリーダは、メモリカードに記録した画像データを読み取る。なお、符号２０は、プリンタ１０の内部で記録紙をカットしたときに生じる屑を溜める屑箱であり、引き出して取り外すことができる。
【００１９】
図２に示すように、プリンタ１０の内部は、紙収納室２１とプリント室２２とに分かれている。紙収納室２１にセットされる記録紙ロール２３は、長尺の記録紙２４をロール状に巻いた形態となっている。記録紙２４は、周知のように、支持体上にシアン感熱発色層、マゼンタ感熱発色層、イエロー感熱発色層が順次層設されている。最上層となるイエロー感熱発色層は熱感度が最も高く、小さな熱エネルギーでイエローに発色する。最下層となるシアン感熱発色層は熱感度が最も低く、大きな熱エネルギーでシアンに発色する。また、イエロー感熱発色層は、発光波長のピークが約４２０ｎｍの青紫色の可視光であるイエロー定着光が照射されたときに発色能力が消失する。マゼンタ感熱発色層は、イエロー感熱発色層とシアン感熱発色層との中間程度の熱エネルギーでマゼンタに発色し、発光波長のピークが約３６５ｎｍの近紫外線であるマゼンタ定着光が照射されたときに発色能力が消失する。
【００２０】
紙収納室２１には、給紙ローラ２５が設けられている。給紙ローラ２５は、記録紙ロール２３と当接して、記録紙ロール２３を送り方向に回転させることにより、該ロール２３から記録紙２４の先端を、プリント室２２に向けた送り方向に送り出す。これにより、記録紙２４は、記録面を下に向けた姿勢で帯状に引き出され、紙収納室２１からプリント室２２に送られる。プリント室２２には、キャプスタンローラ２６とピンチローラ２７とからなる搬送ローラ２８が配置されている。搬送ローラ２８は、記録紙２４をニップした状態で送り方向と戻し方向とに搬送する。
【００２１】
給紙ローラ２５及び搬送ローラ２８は、図３に示す搬送モータ２９の駆動により正逆両方向に回転駆動される。搬送モータ２９は、ドライバ３０を介してコントローラ３１により回転速度及び回転量が制御される。搬送モータ２９としては、例えば、与えられたパルス数に応じて回転量が決定するステッピングモータが使用されており、コントローラ３１は、搬送モータ２９へ与える駆動パルスをカウントすることによって、記録開始位置、カット位置などの記録紙２４の位置及びその搬送量を特定する。
【００２２】
搬送ローラ２８の下流側には、サーマルヘッド３２が配置されている。サーマルヘッド３２は、アクチュエータ３３の駆動により記録位置と退避位置との間で移動される。この制御は、ドライバ３４を介してコントローラ３１の制御により行われる。サーマルヘッド３２は、周知のように、多数の発熱素子を主走査方向に配列した発熱素子アレイ３２ａを備えており、この発熱素子アレイ３２ａを記録紙２４に圧接させた状態で、各発熱素子を発熱させ記録紙２４に画像データの階調値に応じた熱エネルギーを与える。
【００２３】
このサーマルヘッド３２は、コントローラ３１の制御によりバスライン３５から送られる画像データに基づいてヘッドドライバ３６によって駆動される。この駆動は三色面順次で行われ、最初の往復動でイエロー感熱発色層が感熱記録及び定着される。次の往復動でマゼンタ感熱発色層が感熱記録及び定着される。最後の往動でシアン感熱発色層が感熱記録される。
【００２４】
サーマルヘッド３２と対向する位置には、記録紙２４を裏面から支持するプラテンローラ３７が配置されている。プラテンローラ３７は、記録紙２４の搬送に応じて従動回転し、記録紙２４と発熱素子アレイ３２ａとの接触状態を安定させる。
【００２５】
サーマルヘッド３２に対して送り方向の下流側には、搬送路を切り換える切り換え板３８が配されている。切り換え板３８は、アクチュエータ３９の駆動により搬送路に入り込む分岐位置と、搬送路から退避する初期位置との間で移動される。アクチュエータ３９は、ドライバ４０を介してコントローラ３１で駆動が制御される。この制御は、イエロー画像記録後に分岐位置に、また、マゼンタ画像記録中又は後では初期位置に移動するように行われる。切り換え板３８は、分岐位置のときに、記録紙２４の先端を退避通路４１にガイドし、また、初期位置のときには、記録紙２４の先端を排紙通路５４にガイドする。この退避通路４１は、前記送り方向とは異なる方向、本実施形態では略上方向にガイドする通路であり、本発明の第１通路に相当する。また、排紙通路５４は、前記送り方向に略沿う方向にガイドする通路であり、これが本発明の第２通路に相当する。
【００２６】
退避通路４１は、記録紙２４の表裏の両面をガイドする一対のガイド板４２，４３で構成されており、液晶表示部１２を構成する液晶表示素子１２ａの背後に沿って記録紙２４を案内する姿勢で設けられている。退避通路４１と液晶表示素子１２ａとの間には、複数本のイエロー定着用ランプ４４がその通路４１のガイド方向に並べて設けられている。そして、一対のガイド板４２，４３のうちの記録紙２４が入り込んだときに記録面に対面するガイド板４３、つまり、液晶表示素子１２ａに近い方のガイド板４３には、イエロー定着用ランプ４４の光を記録紙２４の記録面に透過させるための透明窓４５が設けられている。なお、他方のガイド板４２は、不透明でかつ黒色となっており、イエロー定着用ランプ４４から放たれる光がプリント室２２の内部の記録位置や他の搬送通路に漏れないように仕切りの作用をなすとともに、紫外線カットの作用も持っている。このイエロー定着用ランプ４４は、詳しくは後述する液晶表示素子１２ａのバックライトに兼用される。
【００２７】
排紙通路５４には、マゼンタ用定着器４６とカッタ４７とが送り方向に沿って順に配置されている。このマゼンタ用定着器４６は、マゼンタ定着用ランプ４８とリフレクタ４９とからなる。マゼンタ定着用ランプ４８は、マゼンタ定着光を放射する。マゼンタ用定着器４６の上には、排紙通路５４の底面を形成するガイド板４２ａが配されている。このガイド板４２ａは、マゼンタ定着用ランプ４８から放たれる光を透過させるために一部４２ｂが透明となっている。
【００２８】
イエロー及びマゼンタ定着用ランプ４４，４８としては、例えば、蛍光ランプが使用され、イエロー定着用ランプ４４には発光ピークが４２０ｎｍの紫外線を照射する蛍光体が内面に塗布され、また、マゼンタ定着用ランプ４８には、発光ピークが３６５ｎｍの紫外線を照射する蛍光体が塗布されている。なお、シアン記録時にもマゼンタ定着用ランプ４８を点灯し、これにより未発色部分が漂白されるように構成してもよい。
【００２９】
コントローラ３１は、ランプドライバ５０，５１を介して各定着用ランプ４４，４８の点灯を制御する。イエロー定着用ランプ４４については、その発光強度がマゼンタ感熱発色層に影響を及ぼさないように調光される。マゼンタ定着用ランプ４８は、フル発光される。各感熱発色層の光定着に必要な定着光量は、記録紙２４の搬送速度と、各定着用ランプ４４，４８の発光強度とに応じて決まる。コントローラ３１は、各感熱発色層の光定着に必要な定着光量が得られるように、搬送モータ２９の回転速度を制御することによって、光定着時の搬送速度を、各定着用ランプ４４，４８の発光強度に応じて調節する。
【００３０】
カッタ４７は、熱記録及び定着が終了した記録紙２４の記録済み部分を１枚のシートに切断する。切断されたシートは排紙口１４からプリンタ１０の外へ排紙される。カッタ４７は、コントローラ３１に接続されたドライバ５２を介してカッタ用アクチュエータ５３によって駆動される。そして、記録紙２４の未記録部分は、記録紙ロール２３へ巻き戻される。
【００３１】
本実施形態のイエロー定着用ランプ４４は、図４に示すように、４２０ｎｍ付近を発光ピークとする第１波長域５５以外に４７０ｎｍ、５６０ｎｍ、及び、６６０ｎｍ付近にもそれぞれ発光ピークをもつ、前記第１の波長よりも光度の少ない第２〜第４波長域５６〜５８の光を放出する４波長ランプ、つまり、これら４つの波長域にピークをもつ紫外線を照射する蛍光体を塗布した蛍光ランプとなっている。
【００３２】
図５に示すように、イエロー定着用ランプ４４と液晶表示素子１２ａとの間には、イエロー定着用ランプ４４から放たれる光を利用して白色光を得るために、補正フィルタ６０が設けられている。補正フィルタ６０は、４２０ｎｍ付近を発光ピークとする第１波長域５５の光度を、他の４７０ｎｍ（青色）、５６０ｎｍ（緑色）、及び、６６０ｎｍ（赤色）付近にピークがある第２〜第４の波長域５６〜５８と略同じ光度まで弱める作用と、３色の色バランスを取るために紫外線（短波領域の波長）をカットする作用とを備えている。これにより、その補正フィルタ６０を通過することで、第１波長域５５の光が図４に点線で示す光度までカットされ、これにより第１〜第４波長域５５〜５８の光が白色光に合成される。したがって、液晶表示素子１２ａはその白色光で背後から照明される。なお、シート状の補正フィルタ６０の代わりに、プラスチック又はガラス製などの光学的補正部材を用いてもよい。
【００３３】
以下、上記構成による作用について図６及び図７に示すフローチャートを参照しながら説明する。最初にプリンタ１０の電源ボタン１７をＯＮにすると、コントローラ３１は、ランプドライバ５０を制御してイエロー定着用ランプ４４を点灯する。また、切り換え板３８を分岐位置にセットする。なお、コントローラ３１は、これら以外にも液晶表示素子１２ａなどのプリント準備に必要な各部を作動させる。イエロー定着用ランプ４４から放たれる光は、補正フィルタ６０を透過することで白色光となり、液晶表示素子１２ａは白色光により背面から照明される。
【００３４】
プリンタ１０には、図３に示すように、カードリーダ６３とバスライン３５、及び外部接続端子６４とバスライン３５とがそれぞれインターフェース（Ｉ／Ｆ）６５，６６により接続されている。バスライン３５には、メモリ６７、ヘッドドライバ３６、エンコーダ６９、及びＬＣＤドライバ７０などが接続されている。
【００３５】
Ｉ／Ｆ６５又はＩ／Ｆ６６を介してバスライン３５に送られてくる画像データは、メモリ６７に記録される。コントローラ３１は、操作部１３の操作に基づいてメモリ６７に記録されている画像データを読み出してエンコーダ６９に送り、エンコーダ６９でエンコードした画像データをＬＣＤドライバ７０に送って液晶表示素子１２ａに画像を表示する。この画像はイエロー定着用ランプ４４の光を補正した白色光を液晶表示素子１２ａのバックから表示画面に向けて透過することで、表示画面には、鮮明な画像が表示されることになる。
【００３６】
その後、プリント指示が与えられると、コントローラ３１は、メモリ６７から読み出した画像データをヘッドドライバ３６に送るとともに、搬送モータ２９を駆動させる。搬送モータ２９を駆動すると、給紙ローラ２５と搬送ローラ２８とが回転して記録紙２４の先端がサーマルヘッド３２に向けて送られる。記録エリアの先端がサーマルヘッド３２に対面した時点でサーマルヘッド３２を記録位置に移動してイエロー画像の熱記録を行う。記録紙２４は、イエロー画像が記録されながら、切り換え板３８が分岐位置にあるため、先端が退避通路４１にガイドされる。退避通路４１に入り込んだ記録紙２４には、イエロー定着用ランプ４４から放たれる紫外線がガイド板４３の透明窓４５を透過して照射され、イエロー感熱発色層の定着が開始される。イエロー画像記録が完了すると、記録エリアの全部が退避通路４１に送られて、イエロー画像の光定着が終了する。
【００３７】
イエロー画像の光定着が終了すると、記録紙２４を送り方向とは逆の戻し方向に搬送し、記録エリアの先端がサーマルヘッド３２に対面した時点でいったん搬送を停止する。記録紙２４の先端が切り換え板３８を通過してサーマルヘッド３２の位置まで戻っている。この通過した後に、切り換え板３８を退避位置に移動する。次にマゼンタ定着用ランプ４８を点灯し、その後に記録紙２４を送り方向に搬送しながらマゼンタ画像の熱記録が行われる。マゼンタ画像の熱記録中には、切り換え板３８が退避位置に移動しているため、記録紙２４の先端は、排紙通路５４に入り込んでマゼンタ感熱発色層の光定着が行われる。
【００３８】
記録紙エリアがマゼンタ定着用ランプ４８を通過すると、記録紙２４の搬送が戻し方向に変換されて、記録エリアの先端がサーマルヘッド３２に対面した時点で再び送り方向に搬送が変換され、送り方向に搬送しながらシアン画像の熱記録が開始される。このシアン画像の熱記録が開始された後も、マゼンタ定着用ランプ４８は、点灯を継続して、マゼンタ定着光が記録エリアに照射される。シアン画像の熱記録が終了すると、記録紙２４はそのまま送り方向に搬送されてカッタ４７に送られる。
【００３９】
記録エリアに対応して決められた記録紙２４の後端の予定切断位置がカッタ４７の切断位置に一致したときに記録紙２４の搬送が止められる。このとき、マゼンタ定着用ランプ４８を消灯する。また、このとき、記録紙２４の先端側のほとんどが排紙口１４から外部に露呈した状態となっている。この状態でカッタ４７を作動する。これにより切断したシートが排紙口１４から外部に落とされる。残りの記録紙２４は、先端が紙収納室２１に入り込むまで戻し方向に搬送される。これにより、次回のプリントの準備が整う。
【００４０】
上記実施形態では、複数のイエロー定着用ランプ４４を液晶表示素子１２ａの背後に並べて照明する直下型のバックライトとしているが、液晶表示素子１２ａの横に置くエッジライト型を採用してもよい。この場合には、イエロー定着用ランプ４４から放たれる光の一部を液晶表示素子１２ａに反射する第１の導光板と、イエロー定着用ランプ４４から放たれる光の一部を透明窓４５を通して記録紙２４に反射する第２の導光板とを備えることで、どちらも均一に照明することができる。勿論、第１の導光板に対して液晶表示素子１２ａとの間、又はイエロー定着用ランプ４４との間に補正フィルタを備えることが必要である。
【００４１】
上記実施形態では、退避通路（本発明の第１通路に相当）と給紙通路（本発明の第２通路に相当）とを設けて、個別に２つの定着用光源を配して定着を切り換えているが、代わりに、同じ通路に２つの定着用光源を設けるとともに、イエロー定着用光源を遮蔽する遮蔽板を設け、イエロー感熱発色層への熱記録時には遮蔽板を開位置に移動して熱記録後のイエロー感熱発色層にイエロー定着用光源から放たれる紫外線を照射し、また、マゼンタ感熱発色層への熱記録時には遮蔽板を閉位置に移動してイエロー定着用光源から放たれる紫外線が熱記録後のマゼンタ感熱発色層に照射されないように構成してもよい。このとき、マゼンタ定着用光源は、イエロー感熱発色層への熱記録時に消灯し、また、マゼンタ感熱発色層への熱記録時に点灯させればよい。
【００４２】
上記実施形態では、バックライト兼用のイエロー定着用ランプ４４として、蛍光ランプを使用した例で説明しているが、蛍光ランプ以外にもＥＬ（エレクトロルミネセンス）などのものが考えられる。この場合、図４で説明した各波長域を放出する蛍光色素を蒸着した発光層を設けた構造を持つ発光有機ＥＬ素子を用いればよい。
【００４３】
また、上記実施形態では、長尺のカラー感熱記録紙を用い、プリント後に切断してシート状のカラープリントを作成するカラー感熱プリンタを例に説明したが、シート状のカラー感熱記録紙を連続搬送してプリントを行うカラー感熱プリンタにも採用することができる。また、大径のプラテンドラムにカラー感熱記録紙を巻きつけて熱記録を行うカラー感熱プリンタにも採用することができる。この場合も、前述したようにバックライト兼用の光源から放たれる光を遮蔽板で遮蔽する遮蔽手段を設ければよい。
【図面の簡単な説明】
【００４４】
【図１】カラー感熱プリンタを示す外観図である。
【図２】カラー感熱プリンタの概略構成を示す説明図である。
【図３】カラー感熱プリンタの電気的概略を示すブロック図である。
【図４】イエロー定着用ランプの分光特性に対する発光強度を示す説明図である。
【図５】イエロー定着用ランプと液晶表示素子との間に配した補正フィルタを示す説明図である。
【図６】プリント手順を示すフローチャートである。
【図７】図６の続きのプリント手順を示すフローチャートである。
【符号の説明】
【００４５】
１０  カラー感熱プリンタ
１２ａ  液晶表示素子
３２  サーマルヘッド
３８  切り換え板
４１  退避通路
４４  イエロー定着用ランプ
４７  カッタ
４８  マゼンタ定着用ランプ
５４  排紙通路
６０  補正フィルタ
【図１】
2005231198.tif 000003
【図２】
2005231198.tif 000004
【図３】
2005231198.tif 000005
【図４】
2005231198.tif 000006
【図５】
2005231198.tif 000007
【図６】
2005231198.tif 000008
【図７】
2005231198.tif 000009